(57)【要約】【課題】  壁体等の仮設トイレ構成部材を仮設トイレ設置場所に収納できるので、専用の保管場所が不要となる。しかも、壁体等の仮設トイレ構成部材を仮設トイレ設置場所に収納できることから、災害時に保管場所から仮設トイレ設置場所まで仮設トイレの構成部材を運搬できないといった恐れはない。さらに、空気を充填するのみで良いので短時間に構築することができる。【解決手段】  バルーン収納箱１と、バルーン収納箱１内に収納されるバルーン２と、バルーン収納箱を閉塞するリング状閉塞蓋とを備え、バルーン収納箱１は、下水道用マンホールの鉄蓋用受枠４の周囲の路面下に埋設され、バルーン２は、空気の充填により筒状に膨らんで壁体５を構成し、壁体５の一部には、出入口５ａが形成されている。【選択図】図１
2008297888.tif 000002
【特許請求の範囲】
【請求項１】
バルーン収納箱と、前記バルーン収納箱内に収納されるバルーンと、前記バルーン収納箱を閉塞するリング状閉塞蓋とを備え、前記バルーン収納箱は、下水道用マンホールの鉄蓋用受枠の周囲の路面下に埋設され、前記バルーンは、気体の充填により筒状に膨らんで壁体を構成し、前記壁体の一部には、出入口が形成されていることを特徴とする非常用仮設トイレ。
【請求項２】
前記バルーンは、互いに連通する複数の気体充填袋から構成されることを特徴とする、請求項１記載の非常用仮設トイレ。
【請求項３】
前記バルーンの下部は、前記バルーン収納箱に、前記バルーン収納箱内から抜け出し不可に取り付けられていることを特徴とする、請求項１または２記載の非常用仮設トイレ。
【請求項４】
前記バルーンは、気体の充填により前記バルーンと一体的に膨らむ屋根を有していることを特徴とする、請求項１から３の何れか１つに記載の非常用仮設トイレ。
【請求項５】
前記バルーンは、前記バルーン収納箱の底部のすのこ状バルーン置台上に置かれていることを特徴とする、請求項１から４の何れか１つに記載の非常用仮設トイレ。
【発明の詳細な説明】
【技術分野】
【０００１】  この発明は、非常用仮設トイレ、特に、地震や火災等の災害時に容易に組み立てることができ、しかも、保管性に優れた非常用仮設トイレに関するものである。
【背景技術】
【０００２】  地震や火災等の災害があったとさには、民家が崩壊あるいは類焼し、住居としての機能を損なうことになるが、そこまでには至らない軽微な損傷の場合でも、上水と下水の確保が困難になるケースが多い。下水のうち、とりわけトイレが使用不能となることは、生活を維持していく上で重大な問題であり、災害時に備えて普段からその対策を立てておくことが重要である。【０００３】  地震や火災等の災害時に使用される非常用仮設トイレの一例として、特許文献１（特開塀１１−２４１３９０号公報）に開示されるものある。以下、この非常用仮設トイレを従来仮設トイレといい、図面を参照しながら説明する。【０００４】  図７は、従来仮設トイレを示す斜視図、図８は、従来仮設トイレを示す部分断面図である。【０００５】  従来仮設トイレは、ステップ板１１と、その上方に立設された壁体１２と、壁体１２の一部に取り付けられたドア１３および屋根１４とによって構成されている。壁体１２と屋根１４とは、空気等の気体の充填によりで所定の形状に膨らむことにより形成される。ステップ板１１は、平面形状半円形の合成樹脂板を２枚突き合わすことによって円形状に形成される。【０００６】  ステップ板１１の外径寸法は、下水道用マンホールの受枠１５の外径寸法より大きい。ステップ板１１は、その外周部分に複数個設けられたボルト孔１６にボルト１７を挿通し、このボルト１７を地面に埋め込まれた雌ねじ１８に螺合することによって地面に固定される。【０００７】  ステップ板１１の中央には、略長方形の開口１１ａが形成されている。この開口１１ａは、トイレの使用者が跨いでその中に用を足すものであり、一般的な和式のトイレの凹部と同程度の大きさになっている。この開口１１ａの上部には、図９に示すような、左右に開くことができるスライド板１９が設けられている。スライド板１９は、使用者が足で開閉できる程度の軽さになっている。【０００８】  スライド板１９の裏面には、２本の溝１９ａが平行に設けられており、両端がステップ板１１の開口１１ａに固定されたレール２０に摺動自在に嵌合している。これによりスライド板１９は、レール２０に沿って水平方向に移動する。【０００９】  スライド板１９の表面には、足掛け用の突条１９ｂが取付けられており、使用者がこれに足を掛けて左方あるいは右方に力を入れることにより、スライド板１９を手を使わずに開閉できるようになっている。【００１０】  壁体１２は、屋根１４と一体にゴム等でできたバルーンにより形成されており、図示しない注入口から内部に気体を充填することによって、所定の形状に膨らむようになっている。壁体１２の下部には、外周に突出するフランジ部１２ａが設けられている。このフランジ部１２ａは、ステップ板１１上にボルト１７により押え板２１を介してステップ板１１と共に地面に固定される。【００１１】  壁体１２の一部には、ドア１３を取付けるためのドア用開口１２ｂが設けられており、このドア用開口１２ｂに、サッシ２２が嵌め込まれている。ドア１３は、図示しないヒンジにより、このサッシに開閉自在に取り付けられている。また、壁体１２には、空気抜き２３を取付けるための空気抜き用孔１２ｃが設けられている。【００１２】  この��うに構成されている従来仮設トイレを設置するには、マンホールの受枠１５に嵌め込まれている既存の鉄蓋を取り除き、これに代えてステップ板１１を受枠１５上に置く。そして、ボルト１７を押え板２１、壁体１２のフランジ部１２ａおよびステップ板１１のボルト孔１６に挿通し、雌ねじ１８に螺合することによって壁体１２を地面に固定する。【００１３】  壁体１２と屋根１４とは、収納時には気体が充填されていないので収納容積が小さい。これを使用するときには、自転車の空気入れ等によって空気を充填して所定の形状にする。気体としては、空気以外にボンベに充填された他のガスを用いても良い。何れにしても、壁体１２のフランジ１２ａをステップ板１１上に固定する段階で気体を充填し、ドア１３と空気抜き２３とを取付けるこれにより従来仮設トイレの組立てが終了する。【００１４】  従来仮設トイレによれば、ドア１３を開いて内部に入り、足を突条１９ｂに掛けてスライド板１９を両側に移動させる。これにより、開口１１ａが現れるので、その開口１１ａ内に用を足す。使用後、スライド板１９を元の位置に戻して開口１１ａを閉じれば臭気を遮断することができる。
【特許文献１】  特開平１１−２４１３９０号公報
【発明の開示】
【発明が解決しようとする課題】
【００１５】
【００１６】  上述した従来仮設トイレによれば、壁体１２をバルーンにより構成することによって、不使用時には縮ませておくことができるので、収容場所を取らない。また、スライド板１９によりステップ板１１の開口１１ａを開閉可能にし、しかも、スライド板１９の開閉操作を足により行えるようにしたので、臭気の発散を防止できると共に、衛生上好ましい等の利点を有している。【００１７】  しかしながら、ステップ板１１、壁体１２、ドア１３、屋根１４、スライド板１９、押え板２１およびドア用サッシ２２等の仮設トイレの構成部材を全て別の場所に保管しておく必要があるので、保管場所を必要とする。しかも、災害時に、場合によっては保管場所から仮設トイレ設置場所まで仮設トイレの構成部材を運搬できない恐れがある。これでは、せっかくの仮設トイレの効果を発揮することができない。【００１８】  従って、この発明の目的は、仮設トイレの構成部材を全て仮設トイレの設置場所に保管することができるようにすることによって、仮設トイレの構成部材の保管場所の問題および運搬の問題を全て解決することができ、しかも、短時間に設置することができる非常用仮設トイレを提供することにある。
【課題を解決するための手段】
【００１９】  この発明は、上記目的を達成するためになされたものであって、下記を特徴とする。【００２０】  請求項１記載の発明は、バルーン収納箱と、前記バルーン収納箱内に収納されるバルーンと、前記バルーン収納箱を閉塞するリング状閉塞蓋とを備え、前記バルーン収納箱は、下水道用マンホールの鉄蓋用受枠の周囲の路面下に埋設され、前記バルーンは、気体の充填により筒状に膨らんで壁体を構成し、前記壁体の一部には、出入口が形成されていることに特徴を有するものである。【００２１】  請求項２記載の発明は、請求項１記載の発明において、前記バルーンは、互いに連通する複数の気体充填袋から構成されることに特徴を有するものである。【００２２】  請求項３記載の発明は、請求項１または２記載の発明において、前記バルーンの下部は、前記バルーン収納箱に、前記バルーン収納箱内から抜け出し不可に取り付けられていることに特徴を有するものである。【００２３】  請求項４記載の発明は、請求項１から３の何れか１つに記載の発明において、前記バルーンは、気体の充填により前記バルーンと一体的に膨らむ屋根を有していることに特徴を有するものである。【００２４】  請求項５記載の発明は、請求項１から４の何れか１つに記載の発明において、前記バルーンは、前記バルーン収納箱の底部のすのこ状バルーン置台上に置かれていることに特徴を有するものである。
【発明の効果】
【００２５】  この発明によれば、仮設トイレの構成部材を全て仮設トイレの設置場所に保管することができるので、仮設トイレの構成部材の保管場所の問題および運搬の問題を全て解決することができ、しかも、短時間に設置することができる。
【発明を実施するための最良の形態】
【００２６】
【００２７】  次に、この発明の非常用仮設トイレの一実施態様を、図面を参照しながら説明する。
図１は、この発明の非常用仮設トイレを示す正面図、図２は、この発明の非常用仮設トイレを示す展開図、図３は、図２の部分拡大図、図４は、図２のＡ−Ａ線拡大断面図、図５は、バルーン収納箱内に収納されたバルーンを示す断面図、図６は、バルーン収納箱１への板材の固定構造を示す正面図である。【００２８】  図１から図５に示すように、この発明の非常用仮設トイレは、バルーン収納箱１と、バルーン収納箱１内に収納され、空気等の気体（以下、空気を例に上げて説明する。）により膨らむバルーン２と、バルーン収納箱１を閉塞するリング状閉塞蓋３（図５参照）とから構成されている。【００２９】  バルーン収納箱１は、その内径が下水道用マンホールの鉄蓋用受枠４の外径寸法より大きい樹脂等からなるリング状溝部材により構成され、この受枠４の周囲の路面下に、受枠４と同心円状に埋設されている。バルーン収納箱１の底部にすのこ状バルーン置台１ａを設け（図５参照）、このバルーン置台１ａ上に後述するバルーンを置けば、バルーン収納箱１内に浸入した雨水等からバルーンを保護することができる。【００３０】  バルーン２は、ビニール等によりできており、バルブ付き空気口２ａから充填される空気により筒状に膨らんで壁体５を構成する。壁体５の一部には、開閉可能な出入口５ａが形成されていて、出入口５ａから人がバルーン２内に自由に出入できるようになっている。バルーン２は、これと一体的に膨らむ屋根６および棚７を有している。屋根６は、壁体５内への雨の浸入等を防止し、棚７は、用を足す間、持ち物等を乗せるものである。壁体５と屋根６とは、図３に示すように、面状ファスナー８（商標名：マジックテープ）により接合される。壁体５、出入口５ａおよび屋根６は、何れも、図４に示すように、互いに連通する複数の気体充填袋から構成されていて、バルーン２の空気口２ａから空気を充填することによって同時に膨らむようになっている。バルーン２の下部は、固定部材２ｂによりバルーン収納箱１に、バルーン収納箱１内から抜け出し不可に取り付けられている。【００３１】  なお、バルーン収納箱１に沿ってＦＲＰ等でできた板材１０を固定し、この板材１０内に壁体５の下部を収容すれば、膨らました後の壁体５をより安定させることができる。この場合、板材１０は、バルーン収納箱１内に収納しておく。板材１０は、複数枚に分割しても良い。バルーン収納箱１への板材１０の固定は、図６に示すように、バルーン収納箱１の内周面に突起（Ｐ）を固定しておく。突起（Ｐ）の頭部は、後述する溝１０ａの幅より大きい。板材１０には、突起（Ｐ）が入り込む鍵状の溝１０ａを形成する。板材１０を固定するには、突起（Ｐ）を溝１０ａ内に入れ込んだ後、Ａ方向に板材１０を持ち上げ、次いで、Ｂ方向に板材１０を移動させ、そして、Ｃ方向に板材１０を落とし込めば、バルーン収納箱１に板材１０を固定することができる。【００３２】  このように構成されている、この発明の非常用仮設トイレは、以下のようにして組み立てられる。【００３３】  先ず、下水道用マンホールの鉄蓋（図示せず）を受枠４から取り外す。次に、例えば、図７から図９に示した従来仮設トイレのステップ板１１およびスライド板１９を鉄蓋に代えて受枠４に嵌め込む。この場合、ステップ板１１は、鉄蓋と同じ大きさとし、他の構成は、上記従来仮設トイレと同じで良い。ステップ板１１およびスライド板１９をマンホール内に収納可能にしても良い。【００３４】  次に、開閉蓋３をバルーン収納箱１から取り外し、露出したバルーン２の空気口２ａから自転車の空気入れ等によって空気を充填する。これによって、バルーン２が膨らみ、筒状に立ち上がって壁体５が形成され、同時に、出入口５ａ、屋根６および棚７が形成される。この場合、予め屋根６は、壁体５に面状ファスナー８により止めておく。バルーン２が膨らんでも、その下部は固定部材２ｂによりバルーン収納箱１に固定されているので、バルーン２がバルーン収納箱１内から抜け出す恐れはない。さらに、バルーン２を強固に地面に固定する場合には、図１に示すように、バルーン２をワイヤー９により固定すると良い。【００３５】  このようにして、非常用仮設トイレの設置が完了したら、使用者は、出入口５ａから中に入り、スライド板１９を開いて用を足すことができる。【００３６】  この非常用仮設トイレを閉鎖するには、バルーン２から空気を抜いてバルーン２を縮める。次いで、縮まったバルーン２をバルーン収納箱１内に収容する。そして、開閉蓋３によりバルーン収納箱１を閉鎖する。バルーン２収納時にバルーン収納箱１内に雨水が浸入して、バルーン収納箱１内に溜まっても、バルーン２は、すのこ状バルーン置台１ａ上に置かれるので、雨水と直接、接しない。従って、バルーン２の劣化を防止することができる。また、車等がバルーン収納箱１上を走行しても、バルーン収納箱１は、開閉蓋３により閉鎖されているので、支障は来たさない。【００３７】  以上説明したように、この発明の非常用仮設トイレによれば、壁体等の仮設トイレ構成部材を仮設トイレ設置場所に収納できるので、専用の保管場所が不要となる。しかも、壁体等の仮設トイレ構成部材を仮設トイレ設置場所に収納できることから、災害時に保管場所から仮設トイレ設置場所まで仮設トイレの構成部材を運搬できないといった恐れはない。さらに、空気を充填するのみで良いので短時間に構築することができる。
【図面の簡単な説明】
【００３８】
【図１】  この発明の非常用仮設トイレを示す正面図である。
【図２】  この発明の非常用仮設トイレを示す展開図である。
【図３】  図２の部分拡大図である。
【図４】  図２のＡ−Ａ線拡大断面図である。
【図５】  バルーン収納箱内に収納されたバルーンを示す断面図である。
【図６】  バルーン収納箱１への板材の固定構造を示す正面図である。
【図７】  従来仮設トイレを示す斜視図である。
【図８】  従来仮設トイレを示す部分断面図である。
【図９】  従来仮設トイレのスライド板を示す斜視図である。
【符号の説明】
【００３９】  １：バルーン
１ａ：バルーン置台
２：バルーン
２ａ：空気口
２ｂ：固定部材
３：閉塞蓋
４：受枠
５：壁体
５ａ：出入口
６：屋根
７：棚
８：面状ファスナー
９：ワイヤー
１０：板材
１１：ステップ板
１１ａ：開口
１２：壁体
１２ａ：フランジ
１２ｂ：ドア用開口
１２ｃ：空気抜き用開口
１３：ドア
１４：屋根
１５：受枠
１６：ボルト孔
１７：ボルト
１８：雌ねじ
１９：スライド板
１９ａ：溝
１９ｂ：突条
２０：レール
２１：押え板、
２２：サッシ
２３：空気抜き
【図１】
2008297888.tif 000003
【図２】
2008297888.tif 000004
【図３】
2008297888.tif 000005
【図４】
2008297888.tif 000006
【図５】
2008297888.tif 000007
【図６】
2008297888.tif 000008
【図７】
2008297888.tif 000009
【図８】
2008297888.tif 000010
【図９】
2008297888.tif 000011